【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
独立気泡を有し、かつ（Ａ）アミン系官能基変性ポリブタジエンゴムを３０〜７０質量％と天然ゴムとを含むゴム成分と、その１００質量部に対し、（Ｂ）下記一般式（Ｉ）
ＨＯＯＣ−ＣＨ＝ＣＨ−ＣＯＯ−Ａ−ＯＯＣ−ＣＨ＝ＣＨ−ＣＯＯＨ・・・（Ｉ）
［式中、Ａは−Ｒ1Ｏ−、−（Ｒ2Ｏ）s−、−ＣＨ2ＣＨ（ＯＨ）ＣＨ2Ｏ−又は−（Ｒ3ＯＯＣ−Ｒ4−ＣＯＯ−）tＲ3Ｏ−で示される基であり、Ｒ1は炭素数２〜３６の二価の炭化水素基、Ｒ2は炭素数２〜４のアルキレン基、ｓは平均付加モル数で１〜６０の数、Ｒ3は炭素数２〜１８の二価の炭化水素基又は−（Ｒ5Ｏ）uＲ5−（ただし、Ｒ5は炭素数２〜４のアルキレン基、ｕは平均付加モル数で１〜３０の数を示す。）、Ｒ4は炭素数２〜１８の二価の炭化水素基、ｔは平均値で１〜３０の数である。］で表される化合物０．３〜７質量部含むと共に、（Ｃ）補強性充填剤を含むことを特徴とするタイヤ用ゴム組成物。
【請求項２】
変性ポリブタジエンゴムが、アミン系官能基としてプロトン性アミノ基及び／又は保護化アミノ基を有する請求項１に記載のタイヤ用ゴム組成物。
【請求項３】
変性ポリブタジエンゴムが、さらに、ヒドロカルビルオキシシラン基を有する請求項１又は２に記載のタイヤ用ゴム組成物。
【請求項４】
変性ポリブタジエンゴムが、プロトン性アミノ基及び／又は保護化アミノ基とヒドロカルビルオキシシラン基とを有する請求項３に記載のタイヤ用ゴム組成物。
【請求項５】
同一の重合末端に、プロトン性アミノ基及び／又は保護化アミノ基とヒドロカルビルオキシシラン基とを有する請求項４に記載のタイヤ用ゴム組成物。
【請求項６】
プロトン性アミノ基及び／又は保護化アミノ基が、−ＮＨ2、−ＮＨＲa、−ＮＬ1Ｌ2及び−ＮＲbＬ3（ただし、Ｒa及びＲbは、それぞれ炭化水素基を示し、Ｌ1、Ｌ2及びＬ3は、それぞれ水素原子又は解離し得る保護基を示す。）の中から選ばれる少なくとも一種の基である請求項２〜５のいずれかに記載のタイヤ用ゴム組成物。
【請求項７】
変性ポリブタジエンゴムが、共役ジエン重合体の重合活性末端に、分子内に保護化アミノ基とヒドロカルビルオキシシラン基とを有する化合物を反応させ、変性してなるものである請求項３〜６のいずれかに記載のタイヤ用ゴム組成物。
【請求項８】
分子内に保護化アミノ基とヒドロカルビルオキシシラン基とを有する化合物が、保護化第一アミノ基を有する２官能性ケイ素化合物である請求項７に記載のタイヤ用ゴム組成物。
【請求項９】
前記２官能性ケイ素原子を含む化合物が、一般式（II）
【化１】
2010254852.tif 000001
（式中、Ｒ6、Ｒ7は、それぞれ独立に炭素数１〜２０の炭化水素基、Ｒ8〜Ｒ9は、それぞれ独立に炭素数１〜２０の炭化水素基、Ｒ11は炭素数１〜１２のアルキレン基、Ａは反応性基、ｆは１〜１０の整数を示す。）で表されるケイ素化合物、一般式（III）
【化２】
2010254852.tif 000002
（式中、Ｒ12〜Ｒ16は、それぞれ独立に炭素数１〜２０の炭化水素基、Ｒ17は炭素数１〜１２のアルキレン基を示す。）で表されるケイ素化合物及び、一般式（IV）
【化３】
2010254852.tif 000003
（式中、Ｒ6、Ｒ7は、それぞれ独立に炭素数１〜２０の炭化水素基、Ｒ8〜Ｒ10は、それぞれ独立に炭素数１〜２０の炭化水素基、Ｒ11は炭素数１〜１２のアルキレン基、Ｒ18は炭素数１〜１２のアルキレン基、Ａは反応性基、ｆは１〜１０の整数を示す。）で表されるケイ素化合物から選ばれる少なくとも一種である請求項８に記載のタイヤ用ゴム組成物。
【請求項１０】
一般式（II）におけるＡがハロゲン原子、炭素数1〜２０のヒドロカルビルオキシ基又はヒドロキシ基である請求項９に記載のタイヤ用ゴム組成物。
【請求項１１】
変性ポリブタジエンゴム重合体の重合活性末端に、分子内に保護化アミノ基とヒドロカルビルオキシシラン基とを有する化合物を反応させ、変性させたのち、周期律表（長周期型）の３族、４族、５族、１２族、１３族、１４族及び１５族のうちのいずれかに属する元素の化合物からなる縮合促進剤の存在下で、前記化合物が関与する縮合反応を施したものである請求項１〜１０のいずれかに記載のタイヤ用ゴム組成物。
【請求項１２】
前記縮合促進剤が、チタン（Ｔｉ）、ジルコニウム（Ｚｒ）、ビスマス（Ｂｉ）、又はアルミニウム（Ａｌ）の化合物からなり、前記縮合促進剤を構成する化合物は、前記元素のアルコキシド、カルボン酸塩、又はアセチルアセトナート錯塩である請求項１１に記載のタイヤ用ゴム組成物。
【請求項１３】
前記縮合促進剤が、チタンの化合物からなるチタン系縮合促進剤である請求項１２に記載のタイヤ用ゴム組成物。
【請求項１４】
チタン系縮合促進剤が、チタンのアルコキシド、カルボン酸塩及びアセチルアセトナート錯塩の中から選ばれる少なくとも一種である請求項１３に記載のタイヤ用ゴム組成物。
【請求項１５】
（Ａ）ゴム成分が、変性ポリブタジエンゴムを３０〜７０質量％と、天然ゴム７０〜３０質量％とからなる請求項1〜１４のいずれかに記載のタイヤ用ゴム組成物。
【請求項１６】
（Ｂ）成分の一般式（I）で表される化合物が、ポリエチレングリコールジマレエート又はジフマレートである請求項１〜１５のいずれかに記載のタイヤ用ゴム組成物。
【請求項１７】
前記（Ｃ）補強性充填剤がカーボンブラック及び／又はシリカからなる請求項１〜１６のいずれかに記載のタイヤ用ゴム組成物。
【請求項１８】
前記（Ａ）ゴム成分１００質量部に対して、カーボンブラックを５〜９５質量部及びシリカを５〜９５質量部含む請求項１７に記載のタイヤ用ゴム組成物。
【請求項１９】
前記（Ｂ）補強性充填剤シリカの総量に対して、シランカップリング剤を４〜１５質量％の割合で含む請求項1〜１８のいずれかに記載のタイヤ用ゴム組成物。
【請求項２０】
前記（Ａ）ゴム成分１００質量部に対して、さらに（Ｄ）微粒子含有有機繊維を０．０２〜２０質量部含む請求項１〜１９のいずれかに記載のタイヤ用ゴム組成物。
【請求項２１】
前記（Ａ）ゴム成分１００質量部に対して、さらに（Ｅ）微粒子非含有有機繊維を含む請求項１〜２０のいずれかに記載のタイヤ用ゴム組成物。
【請求項２２】
前記（Ｄ）微粒子含有有機繊維及び前記（Ｅ）微粒子非含有有機繊維の合計量として前記（Ａ）ゴム成分の１００質量部に対して、１〜２０質量部含む請求項２１に記載のタイヤ用ゴム組成物。
【請求項２３】
前記（Ｄ）微粒子含有有機繊維と（Ｅ）微粒子非含有有機繊維の割合［（Ｄ）微粒子含有有機繊維／（Ｅ）微粒子非含有有機繊維］が、質量比で９８／２〜２／９８である請求項２１又は２２に記載のタイヤ用ゴム組成物。
【請求項２４】
前記（Ｄ）微粒子含有有機繊維が、該有機繊維を構成する素材１００質量部に対して、該微粒子を５〜９０質量部含有する請求項２０〜２３のいずれかに記載のタイヤ用ゴム組成物。
【請求項２５】
前記（Ｄ）微粒子含有有機繊維が、微粒子としてモース硬度が２以上であり、粒径分布の頻度数の８０質量%以上が１０〜５０μｍであり、平均粒子径が１０〜３０μｍであるものを含む請求項２０〜２４のいずれかに記載のタイヤ用ゴム組成物。
【請求項２６】
前記（Ｄ）微粒子含有有機繊維及び（Ｅ）微粒子非含有有機繊維に使用される繊維が、径０．０１〜０．１ｍｍ、及び長さ０．５〜２０mmである請求項２１〜２５のいずれかに記載のタイヤ用ゴム組成物。
【請求項２７】
前記（Ｄ）微粒子含有有機繊維の微粒子が、粒度分布のピーク値での頻度数が２０質量%以上のものである請求項２０〜２６のいずれかに記載のタイヤ用ゴム組成物。
【請求項２８】
前記（Ｄ）微粒子含有有機繊維の微粒子が、アスペクト比１．１以上で、かつ角部が存在している請求項２０〜２７のいずれかに記載のタイヤ用ゴム組成物。
【請求項２９】
前記（Ｄ）微粒子含有有機繊維の微粒子が、無機微粒子及び有機微粒子から選択される請求項２０〜２８のいずれかに記載のタイヤ用ゴム組成物。
【請求項３０】
前記（Ｄ）微粒子含有有機繊維及び（Ｅ）微粒子非含有有機繊維を構成する素材がポリエチレン及び／又はポリプロピレンからなる結晶性高分子であり、かつ融点が１９０℃以下である請求項２１〜２９のいずれかに記載のタイヤ用ゴム組成物。
【請求項３１】
請求項１〜３０いずれかに記載のゴム組成物をトレッド部の路面と実質的に接する面に用いたことを特徴とするタイヤ。
【請求項３２】
前記実質的に路面と接する部分のトレッドゴム層の発泡率が３〜５０％である請求項３１に記載のタイヤ。